(57)【要約】  前面に位置している第１タッチスクリーンと、背面又は側面に位置している第２タッチスクリーンとを備えた携帯端末に適用される情報処理方法は、第１タッチスクリーンの正の法線方向に鉛直下向きの方向成分が存在する場合、第２タッチスクリーンに実行しようとするイベントの目標コントロールを表示することと、目標コントロールに対するタッチ指示を受信すると、携帯端末の回転パラメータが予め設定された回転閾値より大きいか否かを検出することと、大きいと検出された場合、タッチ指示に応じて実行しようとするイベントを実行することと、を含む。ユーザが携帯電話を持ち上げる過程で第２タッチスクリーンに表示されたコントロールをタッチする動作、及び携帯電話を回転させる動作により、携帯電話を持ち上げる過程で、実行しようとするイベントに対応するコントロールを起動することができるため、手順を簡略化し、ユーザの使用を便利にする。【選択図】図１
2020514855.tif 000002
【特許請求の範囲】
【請求項１】
携帯端末の前面に位置している第１タッチスクリーンと、前記携帯端末の背面又は側面に位置している第２タッチスクリーンとを備えた携帯端末に適用される情報処理方法であって、
前記第１タッチスクリーンの正の法線方向に鉛直下向きの方向成分が存在する場合、実行しようとするイベントの目標コントロールを前記第２タッチスクリーンに表示することと、
前記目標コントロールに対するタッチ指示を受信すると、前記携帯端末の回転パラメータが予め設定された回転閾値より大きいか否かを検出することと、
前記携帯端末の回転パラメータが予め設定された回転閾値より大きいと検出された場合、前記タッチ指示に応じて前記実行しようとするイベントを実行することと、を含むことを特徴とする情報処理方法。
【請求項２】
前記実行しようとするイベントの目標コントロールを前記第２タッチスクリーンに表示することは、
通話要求を受信すると、前記第２タッチスクリーンに着信応答コントロール及び着信拒否コントロールを表示することを含み、
前記タッチ指示に応じて前記実行しようとするイベントを実行することは、
前記タッチ指示が前記着信応答コントロールに対するタッチ指示である場合、着信を応答する一方、前記タッチ指示が前記着信拒否コントロールに対するタッチ指示である場合、着信を拒否することを含むことを特徴とする請求項１に記載の情報処理方法。
【請求項３】
前記実行しようとするイベントの目標コントロールを前記第２タッチスクリーンに表示することは、
新しいメッセージを受信すると、前記第２タッチスクリーンに前記新しいメッセージに対する通知のプッシュコントロールを表示することを含み、
前記タッチ指示に応じて前記実行しようとするイベントを実行することは、
前記新しいメッセージに対する通知のプッシュコントロールのタッチ指示に応じて、前記第１タッチスクリーンを起動し、受信された前記新しいメッセージのコンテンツを表示することを含むことを特徴とする請求項１に記載の情報処理方法。
【請求項４】
目標コントロール位置の調整指示を受信することと、
前記調整指示に応じて、前記携帯端末の第２タッチスクリーンに表示された前記目標コントロールの位置を調整することと、をさらに含むことを特徴とする請求項１に記載の情報処理方法。
【請求項５】
前記実行しようとするイベントの目標コントロールを前記第２タッチスクリーンに表示することは、
前記携帯端末の背面に配置された第２タッチスクリーンに実行しようとするイベントの第１目標コントロールを表示するとともに、前記携帯端末の側面に配置された第２タッチスクリーンに実行しようとするイベントの第２目標コントロールを表示することを含み、
前記目標コントロールに対するタッチ指示は、前記第１目標コントロールに対するタッチ指示と、前記第２目標コントロールに対するタッチ指示とを含むことを特徴とする請求項１に記載の情報処理方法。
【請求項６】
前記実行しようとするイベントの第１目標コントロールを表示することは、
前記携帯端末の背面に配置された第２タッチスクリーンにメッセージ送信コントロールを表示することを含み、
前記実行しようとするイベントの第２目標コントロールを表示することは、
前記携帯端末の側面に配置された第２タッチスクリーンに連絡先コントロールを表示することを含み、
前記タッチ指示に応じて前記実行しようとするイベントを実行することは、
前記メッセージ送信コントロールに対するタッチ指示及び前記連絡先コントロールに対するタッチ指示によって選定された目標連絡先に応じて、前記第１タッチスクリーンを起動し、前記目標連絡先にメッセージを送信するためのメッセージ編集インターフェースを生成し表示することを含むことを特徴とする請求項５に記載の情報処理方法。
【請求項７】
携帯端末の前面に位置している第１タッチスクリーンと、前記携帯端末の背面又は側面に位置している第２タッチスクリーンとを備えた携帯端末に適用される情報処理装置であって、
前記第１タッチスクリーンの正の法線方向に鉛直下向きの方向成分が存在する場合、実行しようとするイベントの目標コントロールを前記第２タッチスクリーンに表示するように構成された表示モジュールと、
前記目標コントロールに対するタッチ指示を受信するように構成されたタッチ指示受信モジュールと、
前記タッチ指示受信モジュールが前記目標コントロールに対するタッチ指示を受信した場合に、前記携帯端末の回転パラメータが予め設定された回転閾値より大きいか否かを検出するように構成された検出モジュールと、
前記検出モジュールにより前記携帯端末の回転パラメータが予め設定された回転閾値より大きいと検出された場合、前記タッチ指示に応じて前記実行しようとするイベントを実行するように構成された実行モジュールと、を含むことを特徴とする情報処理装置。
【請求項８】
前記表示モジュールは、
通話要求を受信した場合に着信応答コントロールを表示するように構成された応答表示サブユニットと、
通話要求を受信した場合に着信拒否コントロールを表示するように構成された拒否表示サブユニットと、を含み、
前記実行モジュールは、
前記タッチ指示が前記着信応答コントロールに対するタッチ指示である場合、着信を応答するように構成された応答サブユニットと、
前記タッチ指示が前記着信拒否コントロールに対するタッチ指示である場合、着信を拒否するように構成された拒否サブユニットと、を含むことを特徴とする請求項７に記載の情報処理装置。
【請求項９】
前記表示モジュールは、
新しいメッセージを受信した場合に、前記新しいメッセージに対する通知のプッシュコントロールを表示するように構成されたプッシュコントロール表示サブユニットを含み、
前記実行モジュールは、
前記新しいメッセージに対する通知のプッシュコントロールのタッチ指示に応じて、前記第１タッチスクリーンを起動し、受信された前記新しいメッセージのコンテンツを表示するように構成されたメッセージ読込みサブユニットを含むことを特徴とする請求項７に記載の情報処理装置。
【請求項１０】
目標コントロール位置の調整指示を受信するように構成された調整指示受信モジュールと、
前記調整指示に応じて、前記携帯端末の第２タッチスクリーンに表示された前記目標コントロールの位置を調整するように構成された調整モジュールと、をさらに含むことを特徴とする請求項７に記載の情報処理装置。
【請求項１１】
前記表示モジュールは、
前記携帯端末の背面に配置された第２タッチスクリーンに実行しようとするイベントの第１目標コントロールを表示するように構成された第１表示サブユニットと、
前記携帯端末の側面に配置された第２タッチスクリーンに実行しようとするイベントの第２目標コントロールを表示するように構成された第２表示サブユニットと、を含み、
前記タッチ指示受信モジュールは、
前記第１目標コントロールに対するタッチ指示を受信するように構成された第１指示受信サブユニットと、
前記第２目標コントロールに対するタッチ指示を受信するように構成された第２指示受信サブユニットと、を含むことを特徴とする請求項７に記載の情報処理装置。
【請求項１２】
前記第１表示サブユニットは、
前記携帯端末の背面に配置された第２タッチスクリーンにメッセージ送信コントロールを表示するように構成されたメッセージコントロール二次表示サブユニットを含み、
前記第２表示サブユニットは、
前記携帯端末の側面に配置された第２タッチスクリーンに連絡先コントロールを表示するように構成された連絡先コントロール二次サブユニットを含み、
前記実行モジュールは、
前記メッセージ送信コントロールに対するタッチ指示及び前記連絡先コントロールに対するタッチ指示によって選定された目標連絡先に応じて、前記第１タッチスクリーンを起動し、前記目標連絡先にメッセージを送信するためのメッセージ編集インターフェースを生成し表示するように構成されたメッセージ編集サブユニットを含むことを特徴とする請求項１１に記載の情報処理装置。
【発明の詳細な説明】
【技術分野】
【０００１】
本発明は、携帯端末の分野に関し、特に、情報処理方法及び装置に関する。
【背景技術】
【０００２】
フレキシブルディスプレ技術の発展に伴い、曲面エッジスクリーンを有する携帯電話がますます普及している。様々な新しいインタラクションモードは、曲面エッジスクリーンの構造から派生している。従来の曲面エッジスクリーンは、プッシュメッセージ、ステータスバー、ディレクトリコントロール、及びウィジェットなどを表示するために使用することができる。
【０００３】
従来技術では、エッジスクリーンによりプッシュメッセージ、ステータスバー、ディレクトリコントロール、及びウィジェットなどを表示することができるが、ユーザは、依然として、繁雑な手順で対応するコントロールを起動させることにより、実行しようとするイベントを実行する必要がある。
【０００４】
例えば、エッジスクリーンに新しいプッシュメッセージが表示されるときに、ユーザは、新しいプッシュメッセージを読むために、まず、携帯電話の前面スクリーンがユーザに向くように携帯電話を持ち上げた後、スクリーンロックを解除し、新しいメッセージでプッシュされた対応するコントロールをクリックする必要があるため、手順が非常に繁雑である。
【発明の概要】
【０００５】
本発明の実施形態が解決しようとする課題は、ユーザが携帯電話の曲面エッジスクリーン又は背面タッチスクリーンに表示されたコントロールをタッチする動作、及び携帯端末を回転させる動作により、ユーザが携帯端末を持ち上げる過程で、実行しようとするイベントに対応するコントロールを起動し、対応する動作を実行することを可能にし、手順を簡略化し、ユーザの使用を便利にする情報処理方法及び装置を提供する。
【０００６】
第１の態様では、本発明の実施形態は、携帯端末の前面に位置している第１タッチスクリーンと、前記携帯端末の背面又は側面に位置している第２タッチスクリーンとを備えた携帯端末に適用される情報処理方法であって、
前記第１タッチスクリーンの正の法線方向に鉛直下向きの方向成分が存在する場合、実行しようとするイベントの目標コントロールを前記第２タッチスクリーンに表示することと、
前記目標コントロールに対するタッチ指示（タッチインストラクション）を受信すると、前記携帯端末の回転パラメータが予め設定された回転閾値より大きいか否かを検出することと、
前記携帯端末の回転パラメータが予め設定された回転閾値より大きいと検出された場合、前記タッチ指示に応じて前記実行しようとするイベントを実行することと、を含む情報処理方法を提供する。
【０００７】
第1の態様によれば、第１の可能な実施態様では、
前記実行しようとするイベントの目標コントロールを前記第２タッチスクリーンに表示することは、
通話要求を受信すると、前記第２タッチスクリーンに着信応答コントロール及び着信拒否コントロールを表示することを含み、
前記タッチ指示に応じて前記実行しようとするイベントを実行することは、
前記タッチ指示が前記着信応答コントロールに対するタッチ指示である場合、着信を応答する一方、前記タッチ指示が前記着信拒否コントロールに対するタッチ指示である場合、着信を拒否することを含む。
【０００８】
第1の態様によれば、第２の可能な実施態様では、
前記実行しようとするイベントの目標コントロールを前記第２タッチスクリーンに表示することは、
新しいメッセージを受信すると、前記第２タッチスクリーンに前記新しいメッセージに対する通知のプッシュコントロールを表示することを含み、
前記タッチ指示に応じて前記実行しようとするイベントを実行することは、
前記新しいメッセージに対する通知のプッシュコントロールのタッチ指示に応じて、前記第１タッチスクリーンを起動し、受信された前記新しいメッセージのコンテンツを表示することを含む。
【０００９】
第１の態様によれば、第３の可能な実施態様では、
目標コントロール位置の調整指示を受信することと、
前記調整指示に応じて、前記携帯端末の第２タッチスクリーンに表示された前記目標コントロールの位置を調整することと、をさらに含む。
【００１０】
第1の態様によれば、第４の可能な実施態様では、
前記実行しようとするイベントの目標コントロールを前記第２タッチスクリーンに表示することは、
前記携帯端末の背面に配置された第２タッチスクリーンに実行しようとするイベントの第１目標コントロールを表示するとともに、前記携帯端末の側面に配置された第２タッチスクリーンに実行しようとするイベントの第２目標コントロールを表示することを含み、
前記目標コントロールに対するタッチ指示は、前記第１目標コントロールに対するタッチ指示と、前記第２目標コントロールに対するタッチ指示とを含む。
【００１１】
第1の態様の第４の可能な実施態様によれば、第５の可能な実施態様では、
前記実行しようとするイベントの第１目標コントロールを表示することは、
前記携帯端末の背面に配置された第２タッチスクリーンにメッセージ送信コントロールを表示することを含み、
前記実行しようとするイベントの第２目標コントロールを表示することは、
前記携帯端末の側面に配置された第２タッチスクリーンに連絡先コントロールを表示することを含み、
前記タッチ指示に応じて前記実行しようとするイベントを実行することは、
前記メッセージ送信コントロールに対するタッチ指示及び前記連絡先コントロールに対するタッチ指示によって選定された目標連絡先に応じて、前記第１タッチスクリーンを起動し、前記目標連絡先にメッセージを送信するためのメッセージ編集インターフェースを生成し表示することを含む。
【００１２】
第２の態様では、本発明の実施形態は、携帯端末の前面に位置している第１タッチスクリーンと、前記携帯端末の背面又は側面に位置している第２タッチスクリーンとを備えた携帯端末に適用される情報処理装置であって、
前記第１タッチスクリーンの正の法線方向に鉛直下向きの方向成分が存在する場合、実行しようとするイベントの目標コントロールを前記第２タッチスクリーンに表示するように構成された表示モジュールと、
前記目標コントロールに対するタッチ指示を受信するように構成されたタッチ指示受信モジュールと、
前記タッチ指示受信モジュールが前記目標コントロールに対するタッチ指示を受信した場合に、前記携帯端末の回転パラメータが予め設定された回転閾値より大きいか否かを検出するように構成された検出モジュールと、
前記検出モジュールにより前記携帯端末の回転パラメータが予め設定された回転閾値より大きいと検出された場合、前記タッチ指示に応じて前記実行しようとするイベントを実行するように構成された実行モジュールと、を含む情報処理装置を提供する。
【００１３】
第２の態様によれば、第１の可能な実施態様では、
前記表示モジュールは、
通話要求を受信した場合に着信応答コントロールを表示するように構成された応答表示サブユニットと、
通話要求を受信した場合に着信拒否コントロールを表示するように構成された拒否表示サブユニットと、を含み、
前記実行モジュールは、
前記タッチ指示が前記着信応答コントロールに対するタッチ指示である場合、着信を応答するように構成された応答サブユニットと、
前記タッチ指示が前記着信拒否コントロールに対するタッチ指示である場合、着信を拒否するように構成された拒否サブユニットと、を含む。
【００１４】
第２の態様によれば、第２の可能な実施態様では、
前記表示モジュールは、
新しいメッセージを受信した場合に、前記新しいメッセージに対する通知のプッシュコントロールを表示するように構成されたプッシュコントロール表示サブユニットを含み、
前記実行モジュールは、
前記新しいメッセージに対する通知のプッシュコントロールのタッチ指示に応じて、前記第１タッチスクリーンを起動し、受信された前記新しいメッセージのコンテンツを表示するように構成されたメッセージ読込みサブユニットを含む。
【００１５】
第２の態様によれば、第３の可能な実施態様では、
目標コントロール位置の調整指示を受信するように構成された調整指示受信モジュールと、
前記調整指示に応じて、前記携帯端末の第２タッチスクリーンに表示された前記目標コントロールの位置を調整するように構成された調整モジュールと、をさらに含む。
【００１６】
第２の態様によれば、第４の可能な実施態様では、
前記表示モジュールは、
前記携帯端末の背面に配置された第２タッチスクリーンに実行しようとするイベントの第１目標コントロールを表示するように構成された第１表示サブユニットと、
前記携帯端末の側面に配置された第２タッチスクリーンに実行しようとするイベントの第２目標コントロールを表示するように構成された第２表示サブユニットと、を含み、
前記タッチ指示受信モジュールは、
前記第１目標コントロールに対するタッチ指示を受信するように構成された第１指示受信サブユニットと、
前記第２目標コントロールに対するタッチ指示を受信するように構成された第２指示受信サブユニットと、を含む。
【００１７】
第２の態様の第４の可能な実施態様によれば、第５の可能な実施態様では、
前記第１表示サブユニットは、
前記携帯端末の背面に配置された第２タッチスクリーンにメッセージ送信コントロールを表示するように構成されたメッセージコントロール二次表示サブユニットを含み、
前記第２表示サブユニットは、
前記携帯端末の側面に配置された第２タッチスクリーンに連絡先コントロールを表示するように構成された連絡先コントロール二次サブユニットを含み、
前記実行モジュールは、
前記メッセージ送信コントロールに対するタッチ指示及び前記連絡先コントロールに対するタッチ指示によって選定された目標連絡先に応じて、前記第１タッチスクリーンを起動し、前記目標連絡先にメッセージを送信するためのメッセージ編集インターフェースを生成し表示するように構成されたメッセージ編集サブユニットを含む。
【００１８】
本発明の実施形態によれば、携帯端末における第１タッチスクリーンの正の法線方向に鉛直下向きの方向成分が存在する場合、実行しようとするイベントの目標コントロールを上記携帯端末に配置された第２タッチスクリーンに表示し、上記目標コントロールに対するタッチ指示を受信すると、上記携帯端末の回転パラメータが予め設定された回転閾値より大きいか否かを検出し、上記携帯端末の回転パラメータが予め設定された回転閾値より大きいと検出した場合、上記タッチ指示に応じて、上記実行しようとするイベントを実行する。このように、ユーザが携帯電話を持ち上げる過程で第２タッチスクリーンに表示されたコントロールをタッチする動作、及び携帯電話を持ち上げながら回転させる動作により、ユーザが携帯電話を持ち上げる過程で、実行しようとするイベントに対応するコントロールを起動し、対応する動作を実行することができるため、手順を簡略化し、ユーザの使用を便利にする。
【００１９】
以下、本発明の実施形態又は従来技術における技術的構成をより明確に説明するために、実施形態又は従来技術の説明に必要な図面について簡単に述べる。下記の説明に係る図面は、本発明のいくつかの実施形態に過ぎず、当業者にとって、創造的な努力なしにこれらの図面により他の図面を得ることは明らかである。
【図面の簡単な説明】
【００２０】
【図１】図１は、本発明の実施形態に係る情報処理方法の概略フローチャートである。
【図２】図２は、本発明の実施形態に係る情報処理方法における通話要求シナリオの概略フローチャートである。
【図３】図３は、本発明の実施形態に係る情報処理方法におけるメッセージ要求シナリオの概略フローチャートである。
【図４】図４は、本発明の実施形態に係る情報処理方法におけるコントロール位置調整の概略フローチャートである。
【図５】図５は、本発明の実施形態に係る情報処理方法の別の実施形態の概略フローチャートである。
【図６】図６は、本発明の実施形態に係る情報処理方法におけるメッセージ送信シナリオの概略図である。
【図７】図７は、本発明の実施形態に係る情報処理装置の概略ブロック図である。
【図８ａ】図８ａは、本発明の実施形態に係る情報処理装置における表示モジュールの概略構造図である。
【図８ｂ】図８ｂは、本発明の実施形態に係る情報処理装置における実行モジュールの概略構造図である。
【図９ａ】図９ａは、本発明の実施形態に係る情報処理装置における表示モジュールの別の実施形態の概略構造図である。
【図９ｂ】図９ｂは、本発明の実施形態に係る情報処理装置における実行モジュールの別の実施形態の概略構造図である。
【図１０ａ】図１０ａは、本発明の実施形態に係る情報処理装置における表示モジュールの別の実施形態の概略構造図である。
【図１０ｂ】図１０ｂは、本発明の実施形態に係る情報処理装置におけるタッチ指示受信モジュールの概略構造図である。
【図１１ａ】図１１ａは、本発明の実施形態に係る情報処理装置における第１表示サブユニットの概略構造図である。
【図１１ｂ】図１１ｂは、本発明の実施形態に係る情報処理装置における第２表示サブユニットの概略構造図である。
【図１１ｃ】図１１ｃは、本発明の実施形態に係る情報処理装置における実行モジュールの別の実施形態の概略構造図である。
【図１２ａ】図１２ａは、本発明の実施形態に係る情報処理方法の着信応答シナリオの一例の概略図である。
【図１２ｂ】図１２ｂは、本発明の実施形態に係る情報処理方法の着信応答シナリオの一例の概略図である。
【図１２ｃ】図１２ｃは、本発明の実施形態に係る情報処理方法の着信応答シナリオの一例の概略図である。
【図１３ａ】図１３ａは、本発明の実施形態に係る情報処理方法のメッセージ読込みシナリオの一例の概略図である。
【図１３ｂ】図１３ｂは、本発明の実施形態に係る情報処理方法のメッセージ読込みシナリオの一例の概略図である。
【図１３ｃ】図１３ｃは、本発明の実施形態に係る情報処理方法のメッセージ読込みシナリオの一例の概略図である。
【図１４ａ】図１４ａは、本発明の実施形態に係る情報処理方法のメッセージ送信シナリオの一例の概略図である。
【図１４ｂ】図１４ｂは、本発明の実施形態に係る情報処理方法のメッセージ送信シナリオの一例の概略図である。
【発明を実施するための形態】
【００２１】
以下、本発明の実施形態に係る図面を参照しながら本発明の実施形態における技術的構成を明確かつ完全に説明する。下記に説明した実施形態は、本発明のいくつかの実施形態に過ぎず、すべての実施形態ではないことが明らかである。当業者が創造的な努力なしに本発明の実施形態により得られた全ての他の実施形態は、本発明の保護範囲に属するものである。
【００２２】
図１は、本発明の実施形態に係る情報処理方法の概略フローチャートである。当該情報処理方法は、第１タッチスクリーンと第２タッチスクリーンとを備えた携帯端末に適用される。上記第１タッチスクリーンは、上記携帯端末の前面に位置しており、上記第２タッチスクリーンは、上記携帯端末の背面又は側面に位置している。当該情報処理方法は、以下のステップＳ１０１〜Ｓ１０５を含む。
【００２３】
Ｓ１０１：上記携帯端末における第１タッチスクリーンの正の法線方向（positive normal direction）に鉛直下向きの方向成分（vertical downward component）が存在する場合、実行しようとするイベントの目標コントロールを上記携帯端末の第２タッチスクリーンに表示する。
具体的には、上記携帯端末における第１タッチスクリーンは、上記携帯端末のメインディスプレイインターフェースをさす。当該携帯端末がスマートフォンである場合、上記第１タッチスクリーンは、コンテンツを表示するインターフェースである。上記第１タッチスクリーンの正の法線方向に鉛直下向きの方向成分が存在することは、上記携帯端末が裏返してテーブルの上に置かれたとき、又は第１タッチスクリーンが地面に面するように置かれたときにユーザが上記第１タッチスクリーンを直接見えない状態をさす。
【００２４】
上記携帯端末は、フレキシブルディスプレスクリーンを有するスマートフォンであってもよい。上記スマートフォンのディスプレスクリーンは、さらに側面まで延びて側面と背面との境で終わるものであってもよく、背面全体を覆うように延びるものであってもよい。上記携帯端末の側面は、凸曲面である。このように、上記携帯端末の背面が上を向いているときに、ユーザは側面における第２タッチスクリーンで上記携帯端末によって受信されたメッセージなどを見ることを可能にする。
【００２５】
Ｓ１０２：上記目標コントロールに対するタッチ指示を受信する。
具体的には、上記タッチ指示は、上記目標コントロールに対して向けられたものであり、上記タッチ指示は、上記目標コントロールの起動条件を満たす。本実施形態では、上記条件は、目標コントロールのタッチ期間及びタッチ位置を含む。
【００２６】
Ｓ１０３：上記携帯端末の回転パラメータが予め設定された回転閾値より大きいか否かを検出する。
具体的には、上記携帯端末が上記目標コントロールに対するタッチ指示を受信すると、上記携帯端末の回転パラメータが予め設定された回転閾値より大きいか否かを検出する。
【００２７】
具体的な使用シナリオにおいて、ユーザは、裏返してテーブルの上に置かれた上記携帯端末の側面又は背面における第２タッチスクリーンで新しいメッセージ通知又はプッシュを見たとき、上記携帯端末を持ち上げると同時に、上記側面又は背面における第２タッチスクリーンに表示された、プッシュメッセージを発信する目標コントロールにタッチし、上記目標コントロールを起動させることが考えられる。同時に、携帯電話を持ち上げる過程で、携帯電話は反転時に回転パラメータを生じる。上記回転パラメータを携帯電話で予め設定された回転閾値と比べて、上記携帯端末の回転パラメータが予め設定された回転閾値より大きいか否かを検出することにより、上記目標コントロールを起動し、対応する動作を実行するか否かを判断する。
【００２８】
Ｓ１０４：上記タッチ指示に応じて上記実行しようとするイベントを実行する。
具体的には、上記携帯端末の回転パラメータが予め設定された回転閾値より大きいと検出された場合、上記実行しようとするイベントを実行する条件を満たすと判断して、上記携帯端末が上記実行しようとするイベントを実行する。
【００２９】
Ｓ１０５：上記実行しようとするイベントを実行しない。
具体的には、上記携帯端末の回転パラメータが予め設定された回転閾値以下であると検出された場合、上記実行しようとするイベントを実行しない。上記携帯端末は、如何なる操作をすることなく原状を保つことができ、実行しようとするイベントの実行失敗の通知を表示することもできる。
【００３０】
図２は、本発明の実施形態に係る情報処理方法における通話要求シナリオの概略フローチャートであり、以下のステップＳ２０１〜Ｓ２１０を含む。
【００３１】
Ｓ２０１：携帯端末における第１タッチスクリーンの正の法線方向に鉛直下向きの方向成分が存在する。
具体的には、上記携帯端末における第１タッチスクリーンは、上記携帯端末のメインディスプレイインターフェースをさす。当該携帯端末がスマートフォンである場合、上記第１タッチスクリーンは、コンテンツを表示するインターフェースである。上記第１タッチスクリーンの正の法線方向に鉛直下向きの方向成分が存在することは、上記携帯端末が裏返してテーブルの上に置かれたとき、又は第１タッチスクリーンが地面に面するように置かれたときにユーザが上記第１タッチスクリーンを直接見えない状態をさす。
【００３２】
Ｓ２０２：通話要求を受信すると、上記携帯端末に配置された第２タッチスクリーンに着信応答コントロール及び着信拒否コントロールを表示する。
具体的には、上記携帯端末、すなわち、携帯電話が裏返してテーブルの上に置かれた場合、上記３携帯端末（すなわち、携帯電話）が通話要求を受信すると（すなわち、着呼があった場合）、上記携帯電話の第２タッチスクリーンに着信応答コントロール及び着信拒否コントロールを表示する。
【００３３】
Ｓ２０３：タッチ指示が上記着信応答コントロールに対するタッチ指示であるか否かを判断する。
具体的には、上記携帯端末に配置された第２タッチスクリーンに着信応答コントロール及び着信拒否コントロールが表示されている場合、タッチ指示を受信し、上記タッチ指示が上記着信応答コントロールを起動する指示であるか否かを判断する。
【００３４】
Ｓ２０４：上記携帯端末の回転パラメータが予め設定された回転閾値より大きいか否かを検出する。
具体的には、ステップＳ２０３の判断において上記タッチ指示が上記着信応答コントロールを起動する指示であると判断した場合、さらに、上記携帯端末の回転パラメータが予め設定された回転閾値より大きいか否かを判断する。具体的なシナリオにおいて、ユーザは、裏返してテーブルの上に置かれた上記携帯端末の第２タッチスクリーンで着信通知を見たとき、上記携帯端末を持ち上げると同時に、上記第２タッチスクリーンに表示された着信応答コントロールをタッチする。
【００３５】
Ｓ２０５：通話要求を応答する。
具体的には、Ｓ２０４の判断において上記携帯端末の回転パラメータが上記予め設定された回転閾値より大きいと判断した場合、通話要求を応答する。具体的な使用シナリオにおいて、ユーザは、追加のタップ操作やフリック操作を必要とせず、着信応答コントロールをタッチしながら携帯電話を持ち上げ、携帯電話を持ち上げると同時に着信を応答するため、手順を簡略化し、ユーザの使用を便利にする。
【００３６】
Ｓ２０６：操作を実行しない。
具体的には、Ｓ２０４の判断において上記携帯端末の回転パラメータが上記予め設定された回転閾値以下であると判断した場合、如何なる操作も実行せず、ユーザが他のフリック操作やタップ操作により着信応答の操作を実行することができる。
【００３７】
Ｓ２０７：タッチ指示が上記着信拒否コントロールに対するタッチ指示であるか否かを判断する。
具体的には、上記携帯端末の第２タッチスクリーンに着信応答コントロール及び着信拒否コントロールが表示されている場合、タッチ指示を受信し、上記タッチ指示が上記着信拒否コントロールを起動する指示であるか否かを判断する。
【００３８】
Ｓ２０８：上記携帯端末の回転パラメータが予め設定された回転閾値より大きいか否かを検出する。
具体的には、ステップＳ２０７の判断において上記タッチ指示が上記着信拒否コントロールを起動する指示であると判断した場合、さらに、上記携帯端末の回転パラメータが上記予め設定された回転閾値より大きいか否かを判断する。具体的なシナリオにおいて、ユーザは、裏返してテーブルの上に置かれた上記携帯端末の第２タッチスクリーンで着信通知を見たとき、上記携帯端末を持ち上げると同時に、上記第２タッチスクリーンに表示された着信拒否コントロールをタッチする。
【００３９】
Ｓ２０９：通話要求を拒否する。
具体的には、Ｓ２０８の判断において上記携帯端末の回転パラメータが上記予め設定された回転閾値より大きいと判断した場合、通話要求を拒否する。具体的な使用シナリオにおいて、ユーザは、追加のタップ操作やフリック操作を必要とせず、着信拒否コントロールをタッチしながら携帯電話を持ち上げ、携帯電話を持ち上げると同時に着信を拒否するため、手順を簡略化し、ユーザの使用を便利にする。
【００４０】
Ｓ２１０：操作を実行しない。
具体的には、Ｓ２０８の判断において上記携帯端末の回転パラメータが上記予め設定された回転閾値以下であると判断した場合、如何なる操作も実行せず、ユーザが他のフリック操作やタップ操作により着信拒否の操作を実行することができる。
【００４１】
図３は、本発明の実施形態に係る情報処理方法におけるメッセージ要求シナリオの概略フローチャートであり、以下のステップＳ３０１〜Ｓ３０３を含む。
【００４２】
Ｓ３０１：上記携帯端末における第１タッチスクリーンの正の法線方向に鉛直下向きの方向成分が存在する。
具体的には、上記携帯端末における第１タッチスクリーンは、上記携帯端末のメインディスプレイインターフェースをさす。当該携帯端末がスマートフォンである場合、上記第１タッチスクリーンは、コンテンツを表示するインターフェースである。上記第１タッチスクリーンの正の法線方向に鉛直下向きの方向成分が存在することは、上記携帯端末が裏返してテーブルの上に置かれたとき、又は第１タッチスクリーンが地面に面するように置かれたときにユーザが上記第１タッチスクリーンを直接見えない状態をさす。
【００４３】
Ｓ３０２：新しいメッセージを受信すると、上記携帯端末に配置された第２タッチスクリーンに上記新しいメッセージに対する通知のプッシュコントロールを表示する。
具体的には、上記携帯端末が新しいメッセージの通知を受信する。上記新しいメッセージは、テキストメッセージ通知であってもよく、アプリケーション・ソフトウェアのメッセージ又はプッシュなどであってもよい。上記携帯端末、すなわち、携帯電話が裏返してテーブルの上に置かれた場合、新しいメッセージの通知のプッシュコントロールを上記携帯電話の第２タッチスクリーンに表示する。
【００４４】
Ｓ３０３：上記新しいメッセージの通知のプッシュコントロールのタッチ指示に応じて、上記第１タッチスクリーンを起動し、受信された上記新しいメッセージのコンテンツを表示する。
具体的には、上記新しいメッセージに対する通知のプッシュコントロールのタッチ指示を受信すると、さらに、上記携帯端末の回転パラメータが予め設定された回転閾値より大きいか否かを判断する。上記携帯端末の回転パラメータが予め設定された回転閾値より大きいと判断した場合、受信した上記新しいメッセージのコンテンツを上記第１タッチスクリーンに表示する。
【００４５】
図４は、本発明の実施形態に係る情報処理方法におけるコントロール位置調整の概略フローチャートであり、以下のステップＳ４０１〜Ｓ４０２を含む。
【００４６】
Ｓ４０１：目標コントロール位置の調整指示を受信する。
具体的には、異なる携帯端末を握持する異なる好みを有するユーザの使用を便利にするために、上記携帯端末の第２タッチスクリーンに表示された上記目標コントロールの位置を調整することがきる。具体的な使用において、ユーザは、上記携帯端末の設定ディレクトリ（settings directory）にアクセスして、目標コントロール位置の調整指示を発する。
【００４７】
Ｓ４０２：上記調整指示に応じて、上記携帯端末の第２タッチスクリーンに表示された上記目標コントロールの位置を調整する。
具体的には、上記携帯端末が調整指示を受信すると、ユーザの使用を便利にするために、上記携帯端末の第２タッチスクリーンに表示された上記目標コントロールの位置を調整する。
【００４８】
図５は、本発明の実施形態に係る情報処理方法の別の実施形態の概略フローチャートであり、以下のステップＳ５０１〜Ｓ５０３を含む。
【００４９】
Ｓ５０１：上記携帯端末における第１タッチスクリーンの正の法線方向に鉛直下向きの方向成分が存在する。
具体的には、上記携帯端末における第１タッチスクリーンは、上記携帯端末のメインディスプレイインターフェースをさす。当該携帯端末がスマートフォンである場合、上記第１タッチスクリーンは、コンテンツを表示するインターフェースである。上記第１タッチスクリーンの正の法線方向に鉛直下向きの方向成分が存在することは、上記携帯端末が裏返してテーブルの上に置かれたとき、又は第１タッチスクリーンが地面に面するように置かれたときにユーザが上記第１タッチスクリーンを直接見えない状態をさす。
【００５０】
Ｓ５０２：上記携帯端末の背面に配置されたタッチスクリーンに実行しようとするイベントの第１目標コントロールを表示するとともに、上記携帯端末の側面に配置されたタッチスクリーンに実行しようとするイベントの第２目標コントロールを表示する。
具体的には、例えば、第２タッチスクリーンが上記携帯端末の背面と側面の両方に配置されている場合、上記携帯端末の背面に配置された第２タッチスクリーンに実行しようとするイベントの第１目標コントロールを表示するとともに、上記携帯端末の側面に配置された第２タッチスクリーンに実行しようとするイベントの第２目標コントロールを表示する。上記第１目標コントロール及び第２目標コントロールは、ロックスクリーンパスワードの異なる桁数であってもよく、同一のアプリケーションを起動するのに必要な異なるコントロールであってもよい。
【００５１】
Ｓ５０３：上記第１目標コントロールに対するタッチ指示と上記第２目標コントロールに対するタッチ指示とが含まれた上記目標コントロールに対するタッチ指示を受信する。
具体的には、上記第１目標コントロール及び上記第２目標コントロールは、タッチ指示を同時に受信して起動されてもよく、タッチ指示を順次に受信して起動されてもよい。
【００５２】
図６は、本発明の実施形態に係る情報処理方法におけるメッセージ送信シナリオの概略図であり、以下のステップＳ６０１〜Ｓ６０３を含む。
【００５３】
Ｓ６０１：上記携帯端末における第１タッチスクリーンの正の法線方向に鉛直下向きの方向成分が存在する。
具体的には、上記携帯端末における第１タッチスクリーンは、上記携帯端末のメインディスプレイインターフェースをさす。当該携帯端末がスマートフォンである場合、上記第１タッチスクリーンは、コンテンツを表示するインターフェースである。上記第１タッチスクリーンの正の法線方向に鉛直下向きの方向成分が存在することは、上記携帯端末が裏返してテーブルの上に置かれたとき、又は第１タッチスクリーンが地面に面するように置かれたときにユーザが上記第１タッチスクリーンを直接見えない状態をさす。
【００５４】
Ｓ６０２：上記携帯端末の背面に配置されたタッチスクリーンにメッセージ送信コントロールを表示するとともに、上記携帯端末の側面に配置されたタッチスクリーンに連絡先コントロールを表示する。
具体的には、ユーザがメッセージを送信したい場合、上記携帯端末の背面に配置されたタッチスクリーンにメッセージ送信コントロールを表示するとともに、上記携帯端末の側面に配置されたタッチスクリーンに連絡先コントロールを表示する。
【００５５】
Ｓ６０３：上記メッセージ送信コントロールに対するタッチ指示及び上記連絡先コントロールに対するタッチ指示により選定された目標連絡先に応じて、上記第１タッチスクリーンを起動し、上記目標連絡先にメッセージを送信するためのメッセージ編集インターフェースを生成し表示する。
具体的には、ユーザは、上記携帯端末の背面に配置された第２タッチスクリーンにおけるメッセージ送信コントロールを起動すると同時に、上記携帯端末の側面に配置された第２タッチスクリーンに表示する連絡先コントロールを起動し、特定の連絡先を選定した後、さらに、上記携帯端末の回転パラメータが予め設定された回転閾値より大きいか否かを判断する。記携帯端末の回転パラメータが予め設定された回転閾値より大きいと判断した場合、上記目標連絡先にメッセージを送信するためのメッセージ編集インターフェースにアクセスする。
【００５６】
図７は、本発明の実施形態に係る情報処理装置７０の概略ブロック図である。図７に示すように、情報処理装置７０は、表示モジュール７０１と、タッチ指示受信モジュール７０２と、検出モジュール７０３と、実行モジュール７０４と、調整指示受信モジュール７０５と、調整モジュール７０６とを含み、
表示モジュール７０１は、上記携帯端末における第１タッチスクリーンの正の法線方向に鉛直下向きの方向成分が存在する場合に、実行しようとするイベントの目標コントロールを上記携帯端末における第２タッチスクリーンに表示するように構成されており、
タッチ指示受信モジュール７０２は、上記目標コントロールに対するタッチ指示を受信するように構成されており、
検出モジュール７０３は、上記タッチ指示受信モジュール７０２が上記目標コントロールに対するタッチ指示を受信した場合に上記携帯端末の回転パラメータが予め設定された回転閾値より大きいか否かを検出するように構成されており、
実行モジュール７０４は、検出モジュール７０３により上記携帯端末の回転パラメータが予め設定された回転閾値より大きいと検出した場合、上記タッチ指示に応じて、上記実行しようとするイベントを実行するように構成されており、
調整指示受信モジュール７０５は、目標コントロール位置の調整指示を受信するように構成されており、
調整モジュール７０６は、上記調整指示に応じて、上記携帯端末の第２タッチスクリーンに表示された上記目標コントロールの位置を調整するように構成されている。
【００５７】
図８ａは、本発明の実施形態に係る情報処理装置における表示モジュールの概略構造図である。図８ａに示すように、表示モジュール７０１は、応答表示サブユニット７０１１と、拒否表示サブユニット７０１２とを含み、
応答表示サブユニット７０１１は、通話要求を受信した場合に着信応答コントロールを表示するように構成されており、
拒否表示サブユニット７０１２は、通話要求を受信した場合に着信拒否コントロールを表示するように構成されている。
【００５８】
図８ｂは、本発明の実施形態に係る情報処理装置における実行モジュールの概略構造図である。図８ｂに示すように、実行モジュール７０４は、応答サブユニット７０４１と、拒否サブユニット７０４２とを含み、
応答サブユニット７０４１は、上記タッチ指示が上記着信応答コントロールに対するタッチ指示である場合、着信を応答するように構成されており、
拒否サブユニット７０４２は、上記タッチ指示が上記着信拒否コントロールに対するタッチ指示である場合、着信を拒否するように構成されている。
【００５９】
図９ａは、本発明の実施形態に係る情報処理装置における表示モジュールの別の実施形態の概略構造図である。図９ａに示すように、表示モジュール７０１は、プッシュコントロール表示サブユニット７０１３を含み、
プッシュコントロール表示サブユニット７０１３は、新しいメッセージをした場合に上記新しいメッセージに対する通知のプッシュコントロールを表示するように構成されている。
【００６０】
図９ｂは、本発明の実施形態に係る情報処理装置における実行モジュールの別の実施形態の概略構造図である。図９ｂに示すように、実行モジュール７０４は、メッセージ読込みサブユニット７０４３を含み、
メッセージ読込みサブユニット７０４３は、上記新しいメッセージに対する通知のプッシュコントロールのタッチ指示に応じて、上記第１タッチスクリーンを起動し、受信された上記新しいメッセージのコンテンツを表示するように構成されている。
【００６１】
図１０ａは、本発明の実施形態に係る情報処理装置における表示モジュールの別の実施形態の概略構造図である。図１０ａに示すように、表示モジュール７０１は、第１表示サブユニット７０１４と、第２表示サブユニット７０１５とを含み、
第１表示サブユニット７０１４は、上記携帯端末の背面に配置された第２タッチスクリーンに実行しようとするイベントの第１目標コントロールを表示するように構成されており、
第２表示サブユニット７０１５は、上記携帯端末の側面に配置された第２タッチスクリーンに実行しようとするイベントの第２目標コントロールを表示するように構成されている。
【００６２】
図１０ｂは、本発明の実施形態に係る情報処理装置におけるタッチ指示受信モジュールの概略構造図である。図１０ｂに示すように、タッチ指示受信モジュール７０２は、第１指示受信サブユニット７０２１と、第２指示受信サブユニット７０２２とを含み、
第１指示受信サブユニット７０２１は、上記第１目標コントロールに対するタッチ指示を受信するように構成されており、
第２指示受信サブユニット７０２２は、上記第２目標コントロールに対するタッチ指示を受信するように構成されている。
【００６３】
図１１ａは、本発明の実施形態に係る情報処理装置における第１表示サブユニットの概略構造図である。図１１ａに示すように、第１表示サブユニット７０１４は、メッセージコントロール二次表示サブユニット７０１４１を含み、
メッセージコントロール二次表示サブユニット７０１４１は、上記携帯端末の背面に配置された第２タッチスクリーンにメッセージ送信コントロールを表示するように構成されている。
【００６４】
図１１ｂは、本発明の実施形態に係る情報処理装置における第２表示サブユニットの概略構造図である。図１１ｂに示すように、第２表示サブユニット７０１５は、連絡先コントロール二次サブユニット７０１５１を含み、
連絡先コントロール二次サブユニット７０１５１は、上記携帯端末の側面に配置された第２タッチスクリーンに連絡先コントロールを表示するように構成されている。
【００６５】
図１１ｃは、本発明の実施形態に係る情報処理装置における実行モジュールの別の実施形態の概略構造図である。図１１ｃに示すように、実行モジュール７０４は、メッセージ編集サブユニット７０４４を含み、
メッセージ編集サブユニット７０４４は、上記メッセージ送信コントロールに対するタッチ指示及び上記連絡先コントロールに対するタッチ指示により選定された目標連絡先に応じて、上記第１タッチスクリーンを起動し、上記目標連絡先にメッセージを送信するためのメッセージ編集インターフェースを生成し表示するように構成されている。
【００６６】
以下、いくつかのシナリオ概略図を参照しながら、本発明の実施形態に係る情報処理方法の具体的な実施形態を例示する。
【００６７】
図１２ａは、本発明の実施形態に係る情報処理方法の着信応答シナリオの概略図である。
携帯端末、すなわち携帯電話が裏返してテーブルの上に置かれた場合、第１タッチスクリーンの正の法線方向に鉛直下向きの方向成分が存在する。着呼があったときに、図１２ａに示すように、上記携帯端末の側面に配置された第２タッチスクリーンに着信応答コントロール及び着信拒否コントロールを表示する。図１２ｂに示すように、ユーザは、上記第２タッチスクリーンに表示された着信応答コントロール及び着信拒否コントロールを見たときに携帯電話を持ち上げながら着信応答コントロールに親指で触れる。携帯電話が持ち上げられる過程で回転させられ、かつ回転パラメータが予め設定された回転閾値よりも大きい場合、図１２ｃに示すように、携帯電話の第１タッチスクリーンがユーザの方を向いているときに電話がすでに接続されており、ユーザが直接通話することができる。このようにして、ユーザは、携帯電話を持ち上げる過程で着信応答機能を起動することができ、追加のフリック操作やタップ操作を必要とせず、第１タッチスクリーンがユーザの方を向いていると直接通話することができるため、手順を簡略化し、ユーザの使用を便利にする。
【００６８】
図１３ａは、本発明の実施形態に係る情報処理方法のメッセージ読込みシナリオの概略図である。
携帯端末、すなわち携帯電話が裏返してテーブルの上に置かれた場合、第１タッチスクリーンの正の法線方向に鉛直下向きの方向成分が存在する。図１３ａに示すように、新しいメッセージ通知を受信したときに、上記携帯端末の側面に配置された第２タッチスクリーンに上記新しいメッセージに対する通知のプッシュコントロールを表示する。１３ｂに示すように、ユーザは、携帯電話を持ち上げながら上記新しいメッセージに対する通知のプッシュコントロールに親指で触れる。携帯電話が持ち上げられる過程で回転させられ、かつ回転パラメータが予め設定された回転閾値よりも大きい場合、図１３ｃに示すように、携帯電話の第１タッチスクリーンがユーザの方を向いているときに、受信された上記新しいメッセージのコンテンツがすでに携帯電話の第１タッチスクリーンに表示されているので、ユーザが上記新しいメッセージを直接読むことができる。このようにして、手順を簡略化し、ユーザの使用を便利にする。
【００６９】
図１４ａは、本発明の実施形態に係る情報処理方法のメッセージ送信シナリオの概略図である
携帯端末、すなわち携帯電話が裏返してテーブルの上に置かれた場合、第１タッチスクリーンの正の法線方向に鉛直下向きの方向成分が存在する。図１４ａに示すように、ユーザがメッセージを送信したい場合、上記携帯端末の背面に配置された第２タッチスクリーンにおいてメッセージ送信コントロールに触れると同時に、上記携帯端末の側面に配置された第２タッチスクリーンにおいて連絡先コントロールにおける目標連絡先に触れる。携帯電話が持ち上げられる過程で回転させられ、かつ上記回転パラメータが予め設定された回転パラメータよりも大きい場合、図１４ｂに示すように、携帯電話の第１タッチスクリーンがユーザの方を向いているときに、メッセージ編集インターフェースがすでに携帯電話の第１タッチスクリーンに表示されているので、ユーザがメッセージを直接編集することができる。
【００７０】
上述したのは本発明の実施形態のいくつかの具体的な応用例に過ぎず、実際使用中に携帯端末の第２タッチスクリーンでより多くの機能を拡張することができる。拡張可能な機能としては、例えば、特定の連絡先へのダイヤル、アプリケーション・ソフトウェアの機能ページの表示、ロックスクリーンパスワードの検証などが挙げられる。このようにして、ユーザは、携帯電話を持ち上げる過程で、実行しようとするイベントに対応するコントロールを起動することができるため、手順を簡略化し、ユーザの使用を便利にする。
【００７１】
上述のように、本発明の実施形態によれば、携帯端末における第１タッチスクリーンの正の法線方向に鉛直下向きの方向成分が存在する場合、実行しようとするイベントの目標コントロールを上記携帯端末に配置された第２タッチスクリーンに表示し、上記目標コントロールに対するタッチ指示を受信すると、上記携帯端末の回転パラメータが予め設定された回転閾値より大きいか否かを検出し、上記携帯端末の回転パラメータが予め設定された回転閾値より大きいと検出した場合、上記タッチ指示に応じて、上記実行しようとするイベントを実行する。このように、ユーザが携帯電話を持ち上げる過程で第２タッチスクリーンに表示されたコントロールをタッチする動作、及び携帯電話を回転させる動作により、ユーザが携帯電話を持ち上げる過程で、実行しようとするイベントに対応するコントロールを起動することができるため、手順を簡略化し、ユーザの使用を便利にする。例えば、ユーザは、第２タッチスクリーンでメッセージ通知のコントロールを見たとき、携帯電話を持ち上げながら表示されたメッセージ通知コントロールをタッチすれば、携帯電話が持ち上げられる過程で、実行しようとするイベントに対応するコントロールを起動し、対応する動作を実行することができるため、手順を簡略化し、ユーザの使用を便利にする。このように、対応するコントロールを起動し、実行しようとするイベントを実行するために繁雑な手順が必要とするという従来技術に存在する問題を解決することができる。本発明の実施形態は、折り畳み式フレキシブル携帯電話にも適用可能であることが理解されよう。
【００７２】
なお、説明の便宜上、前述の各方法の実施形態は一連の動作の組み合わせとして説明されているが、本発明が記載された一連の動作によって限定されないことが当業者によって理解されるであろう。本発明によれば、特定のステップ又は動作は、他の順序で又は同時に実行され得る。その上、本明細書で説明された実施形態は好ましい実施形態に過ぎず、これらの実施形態に係る動作及びモジュールは必ずしも本発明に不可欠なものではないことが当業者によって理解されるであろう。
【００７３】
前述の実施形態では、各実施形態の説明はそれ自身の強調を有する。ある実施形態では詳細に説明されていない部分については、他の実施形態における関連する説明を参照することができる。
【００７４】
本発明に係るいくつかの実施形態では、本明細書における実施形態に開示された装置は他の方法で実現され得ることを理解されたい。例えば、以上に説明した装置の実施形態は、例示的なものに過ぎない。一例として、上述したモジュールの分割は論理的機能分割に過ぎず、実際の実施中に他の分割方法があり得る。例えば、複数のモジュール又はコンポーネントは、他のシステムに組み合わせもしくは統合したり、いくつかの特徴を無視もしくは非実行にしたりすることができる。また、図示又は説明した各構成要素間の結合又は通信接続は、直接結合、もしくはいくつかのインターフェースを介した装置又はモジュール間の間接結合又は通信接続であってもよく、電気接続又は他の形の接続であってもよい。
【００７５】
上述した別々の構成要素として説明したモジュールは物理的に分離してもしなくてもよく、モジュールとして示した構成要素は物理的モジュールであってもなくてもよく、すなわち、同じ場所にあっても、複数のネットワーク要素に配布されてもよい。実施形態の技術的構成の目的を達成するために、実際の必要性に応じて、モジュールの全部又は一部を選択することができる。
【００７６】
また、本発明の各実施形態における各機能モジュールは、１つの処理ユニットに統合されてもよく、各モジュールが物理的に存在してもよく、２つ以上のモジュールが１つのユニットに統合されてもよい。上記の統合ユニットは、ハードウェアの形で実現されてもよく、ソフトウェア機能ユニットの形で実現されてもよい。
【００７７】
上述した統合ユニットは、ソフトウェア機能ユニットの形で実現され、かつ別個の製品として販売又は使用される場合、コンピュータ可読メモリに格納することができる。そのような理解に基づいて、本質的に本発明の技術的構成、又は従来技術に寄与する技術的構成の一部、もしくは当該技術的構成の全部又は一部は、ソフトウェア製品の形で具現化され得る。当該ソフトウェア製品は、メモリに格納され、本発明の各実施形態では説明される方法におけるステップの全部又は一部をコンピュータデバイス（パーソナルコンピュータ、サーバ、又はネットワークデバイスなどであり得る）に実行させるための命令を含む。上記メモリは、ＵＳＢ（universal serial bus）フラッシュディスク、読み出し専用メモリ（read only memory、ＲＯＭ）、ランダムアクセスメモリ（random access memory、ＲＡＭ）、リムーバブルハードディスク、ディスク、又はコンパクトディスクなどの、プログラムコードを格納できる様々な媒体を含む。
【００７８】
上述した実施形態は、本発明の技術的構成を説明するためのものに過ぎず、本発明の範囲を限定するものではない。上記の実施形態を参照しながら本発明を詳細に説明したが、当業者は、上記の実施形態により記載された技術的構成の修正、又はそのうち一部の技術的特徴の均等交換が可能であると理解されるべきである。これらの修正又は交換に対応する技術的構成の本質は、本発明における各実施形態の技術的構成の範囲を逸脱しない。
【図１】
2020514855.tif 000003
【図２】
2020514855.tif 000004
【図３】
2020514855.tif 000005
【図４】
2020514855.tif 000006
【図５】
2020514855.tif 000007
【図６】
2020514855.tif 000008
【図７】
2020514855.tif 000009
【図８ａ】
2020514855.tif 000010
【図８ｂ】
2020514855.tif 000011
【図９ａ】
2020514855.tif 000012
【図９ｂ】
2020514855.tif 000013
【図１０ａ】
2020514855.tif 000014
【図１０ｂ】
2020514855.tif 000015
【図１１ａ】
2020514855.tif 000016
【図１１ｂ】
2020514855.tif 000017
【図１１ｃ】
2020514855.tif 000018
【図１２ａ】
2020514855.tif 000019
【図１２ｂ】
2020514855.tif 000020
【図１２ｃ】
2020514855.tif 000021
【図１３ａ】
2020514855.tif 000022
【図１３ｂ】
2020514855.tif 000023
【図１３ｃ】
2020514855.tif 000024
【図１４ａ】
2020514855.tif 000025
【図１４ｂ】
2020514855.tif 000026
【国際調査報告】
2020514855.tif 000027
2020514855.tif 000028
2020514855.tif 000029
2020514855.tif 000030